(57)【要約】【課題】簡易な工具でアーマロッドを電線に巻き付けることができると共に、電線に取り付けられているアーマロッドを取り外すことが可能なアーマロッド着脱工具を提供する。【解決手段】アーマロッド着脱工具１は、電線の外周に遊嵌される対をなす半割り状のスリーブ部材２を備えており、それぞれのスリーブ部材に、径方向外側に向けて延出された操作ハンドル５と、電線を他のスリーブ部材と共に挟み込む電線収容溝部１２と、この電線収容溝部１２を中心として、これより径方向外側に配置されると共にアーマロッドを挿通させる複数の挿通孔１３とを設ける。挿通孔１３は、スリーブ部材２の軸方向の一方の端部から他方の端部にかけて電線収容溝部１２からの距離が徐々に短くなるように形成される。【選択図】  図１
2016100937.tif 000002
【特許請求の範囲】
【請求項１】
電線の外周に遊嵌される対をなす半割り状のスリーブ部材を備え、
それぞれの前記スリーブ部材には、
径方向外側に向けて延出された操作ハンドルと、
前記電線を他のスリーブ部材と共に挟み込む電線収容溝部と、
この電線収容溝部を中心として、これより径方向外側に複数配置されると共にアーマロッドを挿通させる挿通孔と、
が設けられ、
前記挿通孔は、前記スリーブ部材の軸方向の一方の端部から他方の端部にかけて前記電線収容溝部からの距離が徐々に小さくなるように形成されていることを特徴とするアーマロッド着脱工具。
【請求項２】
それぞれの前記スリーブ部材は、
前記操作ハンドルが周方向に配設された半割り状の外郭部材と、この外郭部材の内側に相対回転不能に着脱自在に装着され、前記電線収容溝部と前記挿通孔とが形成された半割り状の内郭部材と、を有して構成され、
対をなす前記外郭部材により筒状の外側スリーブ部材が構成され、また、対をなす前記内郭部材により前記外側スリーブ部材に着脱自在に装着する内側スリーブ部材が構成され、前記対をなす外郭部材は、開閉可能に連結されると共にロック手段により閉状態が固定可能であることを特徴とする請求項１記載のアーマロッド着脱工具。
【請求項３】
前記スリーブ部材は、軸方向の一方の端部から他方の端部にかけて外径が漸次小さくなるテーパ形状に形成されていることを特徴とする請求項１又は２記載のアーマロッド着脱工具。
【請求項４】
前記挿通孔は、前記スリーブ部材の軸方向の一方の端部の開口部位が他方の端部の開口部位に対して周方向でずれた位置にあることを特徴とする請求項１乃至３のいずれかに記載のアーマロッド着脱工具。
【請求項５】
前記外郭部材と前記内郭部材とは、一方に凹部を形成し、他方に前記凹部に嵌合する凸部を形成することで、相対回転不能に着脱自在に装着されることを特徴とすることを特徴とする請求項２に記載のアーマロッド着脱工具。
【発明の詳細な説明】
【技術分野】
【０００１】
本発明は、アーマロッドを電線に巻き付けたり、電線から巻きほぐして除去したりする場合に有用なアーマロッド着脱工具に関する。
【背景技術】
【０００２】
送電線には、電線の傷付防止とねじり力を吸収するために複数本からなるアーマロッドを外周面に巻付け、送電線の全周を覆うようにしている。このようなアーマロッドは、素手で巻き付けたり取り外したりすることは困難であるため、従来においては、各種取り外し工具や巻き付け装置が提案されている。
【０００３】
このうち、電線上のアーマロッドを取り外すための工具としては、電線の外周に遊嵌される半割り状のテーパ付きスリーブと、このテーパ付きスリーブを電線の軸方向に沿って推進する手段を備え、テーパ付きスリーブのテーパ部を電線上のアーマロッドの下側にもぐり込み可能に形成し、カギ付きレンチで推進手段のネジ部材を回転させることでテーパ付きスリーブに電線の軸方向への推進力を発生させ、そのテーパ部先端を電線上のアーマロッドの下側にもぐり込ませてアーマロッドを端部から引き離すようにしたものや（特許文献１）、線条類に外嵌被覆される二分割された筒体と、この筒体の一端面側に取り付けられ、アーマロッドの素線に噛み込んでこれをほぐすための縒り戻し用刃と、前記二分割された筒体のそれぞれに設けられた把手とを備え、二分割された筒体のうちの一方の内周面側に、線条類の外径寸法に対応するための半割り状のカラーを脱着自在に取り付け、筒体の縒り戻し用刃が取り付けられた端面側に、ほぐしたアーマロッドの素線を外方向へ導出するためのガイドを設けたもの等が提案されている（特許文献２）。
【０００４】
また、架空送電線等にアーマロッドを取付ける巻付装置としては、送電線の通過する第１の穴を中心部に有し、該第１の穴の中心から半径方向に通る線を分割線として複数に分割され、送電線に対して回転しないように設けた複数の固定体と、複数の固定体にそれぞれ設置され、送電線の外周面に沿って配置する複数のアーマロッドの一端を前記第１の穴の内周面に沿って保持およびその保持の解除を自在に設けた保持部と、送電線にアーマロッドを巻付けた状態の径よりも大きな径の第２の穴を中心部に有し、前記分割線で分割されて該複数に分割されたものを一体にしたときに第２の穴を中心として回転し、前記固定体から所定量離れた位置に設置した複数の回転体と、固定体の側に向いた複数の回転体にそれぞれ設けられ、第２の穴から半径方向に向けて放射状に設けられ、アーマロッドの他端を入れるための複数の溝と、複数の固定体及び複数の回転体を半径方向に分離及び一体に接続するための移動手段と、複数の回転体を一体にしたときに回転させる回転手段とを具備したものが提案されている。
【先行技術文献】
【特許文献】
【０００５】
【特許文献１】特開平７−２４５８３３号公報
【特許文献２】特開平９−５８３０４号公報
【特許文献３】特許第２６６４１５９号公報
【発明の概要】
【発明が解決しようとする課題】
【０００６】
しかしながら、上述したアーマロッド取り外し工具は、電線を傷つけることなく電線上のアーマロッドを取り外すことに特化した工具であり、特に、特許文献１に示される工具にあっては、アーマロッドの先端部分を電線から引き離すためには優れたものであるが、先端部分以外の部分をほぐすためには非効率的な工具であり、手作業よりも時間を要する不都合がある。また、特許文献２に示される工具は、アーマロッドの先端部分以外の部分もアーマロッドを短時間で取り外すことができる構成と思われるが、アーマロッドの素線に対して１つの縒り戻し用刃を噛み込ませて複数本の素線を順次ほぐすものであり、ほぐした電線をガイドにより外方向へ導出するため、アーマロッドの取り外し初期においては問題ないが、取り外していくと、ほぐしたアーマロッドが工具の側方を覆い始めるので、作業がしにくくなる不都合がある。
しかも、いずれの上記工具も、アーマロッドを巻き付ける機能を備えていないものであり、巻き付けるには他の工具ないしは装置が必要となるものである。
また、アーマロッドの巻き付ける装置としては、引用文献３に示される装置もあるが、構造が複雑であり装置として大掛かりなものとなるので、簡単に持ち運び、電線への装着が行いにくい不都合がある。
【０００７】
本発明は係る事情に鑑みてなされたものであり、簡易な工具でアーマロッドを電線に巻き付けることができると共に、電線に取り付けられているアーマロッドを取り外すことが可能なアーマロッド着脱工具を提供することを主たる課題としている。
【課題を解決するための手段】
【０００８】
上記課題を達成するために、本発明に係るアーマロッド着脱工具は、電線の外周に遊嵌される対をなす半割り状のスリーブ部材を備え、それぞれの前記スリーブ部材には、径方向外側に向けて延出された操作ハンドルと、前記電線を他のスリーブ部材と共に挟み込む電線収容溝部と、この電線収容溝部を中心として、これより径方向外側に配置されると共にアーマロッドを挿通させる挿通孔と、が設けられ、前記挿通孔は、前記スリーブ部材の軸方向の一方の端部から他方の端部にかけて前記電線収容溝部からの距離が徐々に短くなるように形成されていることを特徴としている。
【０００９】
したがって、アーマロッドを電線に巻き付ける場合には、対をなすスリーブ部材を開いて間に電線を入れ、電線を電線収容溝部に収容した状態で対をなすスリーブ部材を閉じ、その状態で各挿通孔の一方の端部（電線収容溝部からの距離が相対的に長い開口端）からアーマロッドを挿通させ、他方の端部（電線収容溝部からの距離が相対的に短い開口端）から出たアーマロッドの端部を電線に巻きつけておく。そして、操作ハンドルを電線（電線収容溝部）を中心として回すことで、各挿通孔を挿通させたアーマロッドを同時に電線に巻き付ける。この際、挿通孔は、スリーブ部材の軸方向の一方の端部から他方の端部にかけて電線収容溝部からの距離が徐々に短くなるように形成されているので、アーマロッドを挿通孔から電線にスムーズに導くことができ、アーマロッドの電線への巻き付きが乱れる不都合を低減でき、また、スリーブ部材を回転させてアーマロッドを電線に巻き付ける操作により、スリーブ部材にはアーマロッドが巻き付けられる側と反対側に電線の軸方向に沿って移動する推進力が発生し、電線には複数のアーマロッドが順次巻き付けられていく。
【００１０】
逆に、電線に巻き付けられているアーマロッドを取り外す場合には、対をなすスリーブ部材を開いて間に電線を入れ、電線を電線収容溝部に収容した状態で対をなすスリーブ部材を閉じ、その状態で巻き付けられているアーマロッドの端部を他の工具等で少しほぐし、各アーマロッドの先端を各挿通孔の他方の端部（電線収容溝部からの距離が相対的に短い開口端）から挿入し、一方の端部（電線収容溝部からの距離が相対的に長い開口端）から出した状態としておく。そして、操作ハンドルを電線を中心に回すことで、巻き付けられたアーマロッドを各挿通孔に挿通させてほぐしていく。この際、挿通孔は、スリーブ部材の軸方向の他方の端部から一方の端部にかけて電線収容溝部からの距離が徐々に長くなるように形成されているので、電線に巻き付けられているアーマロッドを、電線表面から挿通孔にスムーズに導入することが可能となり、操作ハンドルを回すことで、スリーブ部材はアーマロッドが巻き付けられる側へ電線の軸方向に沿って移動し、複数のアーマロッドは、同時にほぐされ、除去されていく。
【００１１】
したがって、上述した簡易な構成のアーマロッド着脱工具を用いることで、アーマロッドの電線への巻き付け、取り外しが容易に行え、また、取り外す際には、アーマロッドがアーマロッド着脱工具の挿通孔を挿通してほぐされ除去されるので、アーマロッド着脱工具の側方がほぐされたアーマロッドで覆われてしまう不都合がなくなり、アーマロッドの取り外し作業に支障が生じることがなくなる。
【００１２】
ここで、それぞれの前記スリーブ部材は、１つの部材として構成してもよいが、前記操作ハンドルが周方向に配設された半割り状の外郭部材と、この外郭部材の内側に相対回転不能に着脱自在に装着され、前記電線収容溝部と前記挿通孔とが形成された半割り状の内郭部材と、を有して構成され、対をなす前記外郭部材により筒状の外側スリーブ部材が構成され、また、対をなす前記内郭部材により前記外側スリーブ部材に着脱自在に装着される内側スリーブ部材が構成され、前記対をなす外郭部材は、開閉可能に連結されると共にロック手段により閉状態が固定可能である構成としてもよい。
このような構成とすることで、内郭部材を電線径やアーマロッドの種類に応じて変更することが可能となり、汎用性を持たせることが可能となる。
【００１３】
また、前記スリーブ部材は、軸方向の一方の端部から他方の端部にかけて外径が漸次小さくなるテーパ形状に形成するようにしてもよい。挿通孔がスリーブ部材の軸方向の一方の端部から他方の端部にかけて電線収容溝部からの距離が徐々に短くなるように形成されていれば、スリーブ部材の外形は特に限定されるものではないが、スリーブ部材を軸方向の一方の端部から他方の端部にかけて外径が漸次小さくなるテーパ形状に形成することで、アーマロッド着脱工具の取り付け方向を誤ることがなくなり、また、軽量化を図ることが可能となる。
さらに、前記挿通孔は、前記スリーブ部材の軸方向の一方の端部の開口部位が他方の端部の開口部位に対して周方向でずれた位置にあるようにしてもよい。
【００１４】
このような構成とすることで、アーマロッドの電線への巻き付け時において、アーマロッドの巻き付け方向（アーマロッド着脱工具の回転方向）と挿通孔が周方向に捩れている方向とを一致させることで、アーマロッドの電線への巻き付きが乱れる不都合を低減でき、また、電線からの取り外し時においても、アーマロッドの挿通孔への導入をよりスムーズに行うことができ、ほぐしやすくすることが可能となる。
【００１５】
なお、外郭部材と内郭部材とを相対回転不能に装着させる手段としては、例えば、外郭部材と内郭部材の一方に凹部を形成し、他方に前記凹部に嵌合する凸部を形成することで、外郭部材に内郭部材を装着した場合に周方向での相対回転ができない構成としてもよい。
【発明の効果】
【００１６】
以上述べたように、本発明に係るアーマロッド着脱工具によれば、電線の外周に遊嵌される対をなす半割り状のスリーブ部材に、径方向外側に向けて延出された操作ハンドルと、電線を挟み込む電線収容溝部と、この電線収容溝部を中心として、これより径方向外側に配置されると共にアーマロッドを挿通させる複数の挿通孔とを設け、この挿通孔を、スリーブ部材の軸方向の一方の端部から他方の端部にかけて電線収容溝部からの距離が徐々に短くなるように形成したので、アーマロッドを挿通孔に挿通させることで、アーマロッドを挿通孔から電線にスムーズに導くことができ、アーマロッドの電線への巻き付きが乱れる不都合を低減でき、アーマロッドの電線への巻き付け作業を容易に行うことが可能となる。また、電線に取り付けられているアーマロッドを取り外す場合にも、アーマロッドを電線表面から挿通孔にスムーズに導入することが可能となり、また、ほぐれたアーマロッドにより取り外し作業に支障が生じることが無くなる。
したがって、１つのアーマロッド着脱工具を用いて、アーマロッドの電線への巻き付け、取り外しを容易に行うことが可能となる。
【図面の簡単な説明】
【００１７】
【図１】図１は、本発明に係るアーマロッド着脱工具の構成例（結束形プレホームドアーマロッドを用いる場合の例）を示す図であり、（ａ）はその平面図、（ｂ）はその正面図、（ｃ）はその底面図である。
【図２】図２は、図１で示すアーマロッド着脱工具のスリーブ部材を示す正面図である。
【図３】図３は、本発明に係るアーマロッド着脱工具を示す分解斜視図である。
【図４】図４は、本発明に係るアーマロッド着脱工具の対をなす内郭部材を示す図であり、（ａ）はその平面図、（ｂ）はその正面図である。
【図５】図５は、アーマロッドの種類を示す図であり、（ａ）は、結束形プレホームドアーマロッドとその電線への取付状態を示す図、（ｂ）は一般形プレホームドアーマロッドとその電線への取付状態を示す図である。
【図６】図６は、本発明に係るアーマロッド着脱工具を用いて電線にアーマロッドを巻き付ける作業工程を説明する説明図である。
【図７】図７は、本発明に係るアーマロッド着脱工具の他の構成例（一般形プレホームドアーマロッドを用いる場合の例）を示す図であり、（ａ）はその平面図、（ｂ）はその正面図、（ｃ）はその底面図である。
【発明を実施するための形態】
【００１８】
以下、本発明に係るアーマロッド着脱工具について図面を参照しながら説明する。
【００１９】
図１乃至図３において、アーマロッド着脱工具１は、架空電線に装着して用いられるもので、電線の外周に遊嵌される対をなす半割り状のスリーブ部材２を付き合わせて構成されている。
【００２０】
それぞれのスリーブ部材２は、プラスティックや金属等の硬質素材で形成された断面円弧状に形成された半割り状の外郭部材３と、同じく硬質素材で形成れ、外郭部材３の内側に相対回転不能に着脱自在に装着された内郭部材４とを有して構成され、したがって、対をなすスリーブ部材２は、互いの割り面を突き合わせた状態で、対をなす外郭部材３により筒状の外側スリーブ部材２ａが構成され、また、対をなす内郭部材４により外側スリーブ部材２ａの内側に着脱自在に装着される柱状の内側スリーブ部材２ｂが構成されている。
【００２１】
この例では、それぞれのスリーブ部材２は、軸方向の一方の端部から他方の端部にかけて外径が漸次小さくなるテーパ形状に形成され、したがって、外郭部材３（外側スリーブ部材２ａ）や内郭部材４（内側スリーブ部材２ｂ）も、外周面の外径が軸方向の一方の端部から他方の端部にかけて外径が漸次小さくなるテーパ形状に形成されている。
【００２２】
外郭部材３の外周面には、軸方向の略中央となる部分に、軸心に対して略垂直方向に延びる操作ハンドル５が一体に、又は、螺合等により着脱可能に固定されている。この操作ハンドル５は、外郭部材３の外周面の１箇所に設けられるものであっても、周方向に所定の間隔を空けて複数設けられるものであってもよく、この例では、各外郭部材３に、周方向で所定の間隔をあけて（隣り合う操作ハンドル間が中心角にして約６０度となるように）３箇所に設けられている。
【００２３】
また、外郭部材３の互いに対峙する突合せ面には、前記内郭部材４を収容する収容凹部６が形成されている。この収容凹部６の内壁は、内郭部材４の外周面とほぼ同じ径に形成され、内郭部材４を収容凹部６に収容した場合に、内郭部材４の突合せ面が外郭部材３の突合せ面と一致するようになっている。
【００２４】
この外郭部材３の収容凹部６には、さらに係合凹部７が形成され、内郭部材４の外周面には、係合凹部７と係合する係合凸部８が設けられている。この例では、係合凹部７が各外郭部材３の収容凹部６の内面に周方向に所定の角度範囲（例えば、４５〜９０度の範囲）に亘って形成されており、外郭部材３に対する内郭部材４の装着を容易にするために、各外郭部材３の一方の側縁から周方向に形成され、この例では、係合凹部７の巾が収容凹部６の内面から径方向外側へ向かうほど大きくなるように形成されている（収容凹部６の内面の部分で最も巾が狭くなるように形成されている）。
【００２５】
また、対をなす外郭部材３は、互いに対峙する一方の側縁が蝶番１０で回動可能に連結されており、また、互いに対峙する他方の側縁に外郭部材３同士を当接させた状態をロックするロック手段１１が設けられている。このロック手段１１は周知のラッチ機構を用いて構成してもよく、例えば、外郭部材３の互いに対峙する側縁の一方に係止突起１１ａを設け、他方にこの係止突起１１ａに係止可能な回動可能な係止片１１ｂを設けて構成される。
【００２６】
これに対して、内郭部材４は、図４にも示されるように、断面半円状に形成され、互いの突合せ面には、中央に軸方向に延びる電線収容溝部１２が形成され、また、この電線収容溝部１２を中心として、これより径方向外側にアーマロッドを挿通させる挿通孔１３が複数配設されている。電線収容溝部１２は、対をなすスリーブ部材２を突き合わせることで電線を挟み込むもので、電線径よりも幾分大きな径に形成され、電線を挟み込んだ状態で対をなすスリーブ部材２が遊嵌されるようになっている。
【００２７】
また、前記挿通孔１３は、挿通させるアーマロッドに応じて径が設定されているもので、挿通されるアーマロッドが、図５（ａ）に示される結束形プレホームドアーマロッド１５であれば、アーマロッド素線を結束したものが波状に予め形成されているので、その波状の結束形アーマロッドをスムーズに挿通させることができるような大きい径に形成され、また、挿通させるアーマロッドが、図５（ｂ）に示される素線を波状に形成した一般形プレホームドアーマロッド１６であれば、そのアーマロッドを挿通させることができる程度の小さい径に形成される（図１，３，４に示す構成においては、結束形プレホームドアーマロッド１５を用いた場合を示している）。
【００２８】
そして、それぞれの挿通孔１３は、スリーブ部材２の軸方向の一方の端部から他方の端部にかけて中央の電線収容溝部１２からの距離が徐々に小さくなるように形成され、また、この例では、挿通孔１３は、アーマロッド１５，１６を電線に巻き付ける方向に合わせて、スリーブ部材２の軸方向の一方の端部の開口部位と他方の端部の開口部位とが周方向で互いにずれるように形成されている。
【００２９】
以上の構成において、電線２０にアーマロッド１５（１６）を巻き付ける作業を説明すると、先ず、外郭部材３のロック手段１１によるロックを解除して蝶番１０を中心に対をなす外郭部材３を開き、それぞれの収容凹部６に内郭部材４を嵌め込む。この際、内郭部材４の係合凸部８を外郭部材３の係合凹部７に嵌合させるために、外郭部材３を開いた状態で内郭部材４を周方向に少しずらした状態（回転させた状態）で収容凹部６に嵌め入れて係合凸部８と係合凹部７との端部同士の位置を合わせ、その状態で内郭部材４を軸心を中心に回転させて係合凸部８を係合凹部７に対して周方向にスライドさせて挿入し、内郭部材４の突合せ面を外郭部材３の突合せ面に一致させるまでスライドさせる。
【００３０】
このようにして、それぞれの外郭部材３に内郭部材４を嵌合させた後に、対をなす内郭部材４の間に電線２０を入れ、図６に示されるように、この電線２０をそれぞれのスリーブ部材２（内郭部材４）の電線収容溝部１２に収容した状態で挟み込むようにスリーブ部材２を閉じ、その状態を維持するようにロック手段１１により互いに当接された対をなすスリーブ部材２をロックする。
【００３１】
その後、各挿通孔１３にアーマロッド１５（１６）を一方の開口端（電線収容溝部からの距離がより離れた側の開口端）から挿入し、各挿通孔１３を挿通させた複数のアーマロッド１５（１６）の端末を電線２０に少し巻き付け固定する。
【００３２】
そして、操作ハンドル５を電線２０（電線収容溝部１２）を中心として回すことで対をなすスリーブ部材２を回転させ、アーマロッド１５（１６）の巻き付け状態を確認しつつ、複数のアーマロッド１５（１６）を電線２０に同時に巻きつけていく。この巻き付け操作により、対をなすスリーブ部材２は、アーマロッド１５（１６）が巻き付けられる側と反対側に電線の軸方向に沿って移動する推進力が自然に発生するので、作業者は、アーマロッド１５（１６）の巻き付け状態を確認しつつ操作ハンドル５を回し続けてアーマロッド１５（１６）を必要長だけ巻き付ければよい。
【００３３】
また、逆に、電線２０に巻き付けられているアーマロッド１５（１６）を取り外す場合には、電線２０に巻き付けられているアーマロッド１５（１６）の端部に近い電線部位にアーマロッド着脱工具１を挿通孔１３の他方の開口端（電線収容溝部１２からの距離がより近い側の開口端）がアーマロッド側を向くように取り付け、電線２０に巻き付けられているアーマロッド１５（１６）の端部をドライバー等でほぐして広げ、それぞれのアーマロッド１５（１６）を他方の開口端から挿通孔１３に挿入し、一方の開口端から引き出した状態とする。そして、対をなすスリーブ部材２をアーマロッド側に押しつけつつ操作ハンドル５を電線２０を中心として回転させれば、複数のアーマロッド１５（１６）が電線２０から同時に取り外されていく。
【００３４】
これにより、電線２０から取り外されたアーマロッド１５（１６）は、スムーズに挿通孔１３を通ってほぐされた状態で後方へ拡がるので（操作ハンドル５の側方を過ぎることがないので）、操作ハンドル５の操作の邪魔になることがなく、アーマロッド１５（１６）の取り外し作業に支障をきたすことがない。
【００３５】
なお、図１，３，４に示す構成においては、内郭部材４が結束形プレホームドアーマロッド１５を用いる場合の例として示されているが、一般形プレホームドアーマロッド１６を用いる場合には、挿通孔１３の径が小さくなり、また、挿通孔１３の数が多くなる。このため、一般形プレホームドアーマロッド１６を用いたい場合には、図７に示されるように、内郭部材４のみを一般形プレホームドアーマロッドに対応したものに取り替えるだけで対応が可能である。
【００３６】
また、一般形プレホームドアーマロッドに対応させるために内郭部材４を図７のように変更した場合には、挿通孔１３が、スリーブ部材２の軸方向の一方の端部の開口部位と他方の端部の開口部位とを周方向でずらすように形成されると、挿通孔１３が２つの内郭部材４に亘って形成される場合もあり得るが、２つの内郭部材４を突きあわせた場合に挿通孔１３が内郭部材４の突合せ面で位置ずれしないようにすれば、特に支障はない。
【００３７】
また、以上に実施形態においては、スリーブ部材２にテーパ面を形成した例を示したが、挿通孔１３がスリーブ部材２の軸方向の一方の端部から他方の端部にかけて電線収容溝部１２からの距離が徐々に小さくなるように形成されていれば、テーパ面を有しないスリーブ部材を用いるようにしてもよく、また、上述の構成例では、内郭部材４を変更できるように、外郭部材３と内郭部材４とを着脱可能に別体の部材としたが、外郭部材３と内郭部材４とを一体化させた構成であってもよい。
【００３８】
また、挿通孔１３は、スリーブ部材２の軸方向の一方の端部の開口部位と他方の端部の開口部位との周方向位置をずらすように形成した例を示したが、電線収容溝部１２と平行に形成されるものであってもよい。
【００３９】
さらに、外郭部材３と内郭部材４とを相対回転不能にするために、外郭部材３に係合凹部７を、内郭部材４にこれに係合する係合凸部８を設けた例を示したが、外郭部材３に係合凸部を設け、内郭部材４にこれに係合する係合凹部を設けて互いを相対回転不能としてもよい。
【符号の説明】
【００４０】
１  アーマロッド着脱工具
２  スリーブ部材
３  外郭部材
４  内郭部材
５  操作ハンドル
７  係合凹部
８  係合凸部
１１  ロック手段
１２  電線収容溝部
１３  挿通孔
１５、１６  アーマロッド
２０  電線
【図１】
2016100937.tif 000003
【図２】
2016100937.tif 000004
【図３】
2016100937.tif 000005
【図４】
2016100937.tif 000006
【図５】
2016100937.tif 000007
【図６】
2016100937.tif 000008
【図７】
2016100937.tif 000009